【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
前面、後面、底面、第１電気コネクタ、及び第２電気コネクタを有するプリント回路基板を有し、
前記後面は、前記プリント回路基板の前記前面の反対側の面であり、なおかつ前記前面と平行であり、
前記底面は、前記前面から前記後面へ向けて延伸し、前記前面及び前記後面と共に前記プリント回路基板の周辺出力を形成し、前記前面及び前記後面に対して略垂直であり、
前記第１電気コネクタは、実装基板上の第１導線に接続しており、少なくともその一部が前記前面と前記底面に沿って延伸するように前記プリント回路基板上に形成されており、
前記第２電気コネクタは、前記実装基板上の第２導線に接続しており、少なくともその一部が前記後面と前記底面に沿って延伸するように前記プリント回路基板上に形成されており、
前記プリント回路基板は、前記底面上にある前記第１電気コネクタの一部と前記第２電気コネクタの一部が前記実装基板の実装面に対して平行になるように、前記実装基板に対して固定されており、
前記プリント回路基板の前記前面上に、前記第１電気コネクタと電気的に連結された光電子ダイを有し、
前記光電子ダイは、前記前面に対して略平行な光学面を有し、
前記プリント回路基板は第１係合機能部及び支持部材を有し、
前記第１係合機能部は前記プリント回路基板の上面にパターンされており、
前記上面は、前記底面と略平行であり、前記前面に対して略垂直であり、
前記支持部材は第２係合機能部と第３係合機能部とを有し、
前記支持部材は、前記第１係合機能部を前記第２係合機能部と係合することにより、前記プリント回路基板に連結され、
前記支持部材は、前記第３係合機能部を第４係合機能部と係合することによりファイバホルダに連結されており、
前記第４係合機能部は、前記ファイバホルダの後面にパターンされている、電気光学的配置を提供する光電子アセンブリ。
【請求項２】
前記ファイバホルダは、前記実装基板の前記実装面に対して略平行にファイバを保持する、請求項１に記載の光電子アセンブリ。
【請求項３】
前記プリント回路基板は、前記底面が前記実装基板の前記実装面と対向するように、前記実装基板に固定されている、請求項１に記載の光電子アセンブリ。
【請求項４】
前記第２係合機能部は、前記支持部材の上面にパターンされており、
前記第３係合機能部は、前記支持部材の前面にパターンされており、
前記支持部材の前記上面は、前記支持部材の前記前面と略垂直である、請求項１に記載の光電子アセンブリ。
【請求項５】
前記ファイバホルダは第５係合機能部を有しており、
前記第５係合機能部は、前記ファイバホルダの前面にパターンされており、
前記ファイバホルダの前記前面は、前記ファイバホルダの前記後面と略平行である、請求項４に記載の光電子アセンブリ。
【請求項６】
前記プリント回路基板に対して光入力を提供するファイバをさらに有し、
前記ファイバは、前記ファイバホルダにある第１開口と、前記支持部材にある第２開口とを通る、請求項５に記載の光電子アセンブリ。
【請求項７】
前記第１開口と前記第２開口はそれぞれ、前記実装基板の前記実装面と略平行な方向へ形成されており、
前記第１開口は、前記ファイバホルダの前記前面から前記ファイバホルダの前記後面へ延伸しており、
前記第２開口は、前記支持部材の前記前面から前記支持部材の後面へ延伸している、請求項６に記載の光電子アセンブリ。
【請求項８】
前面、後面、底面、第１電気コネクタ、及び第２電気コネクタを有するプリント回路基板を有し、
前記後面は、前記プリント回路基板の前記前面の反対側の面であり、なおかつ前記前面と平行であり、
前記底面は、前記前面から前記後面へ向けて延伸し、前記前面及び前記後面と共に前記プリント回路基板の周辺出力を形成し、前記前面及び前記後面に対して略垂直であり、
前記第１電気コネクタは、実装基板上の第１導線に接続しており、少なくともその一部が前記前面と前記底面に沿って延伸するように前記プリント回路基板上に形成されており、
前記第２電気コネクタは、前記実装基板上の第２導線に接続しており、少なくともその一部が前記後面と前記底面に沿って延伸するように前記プリント回路基板上に形成されており、
前記プリント回路基板は、前記底面上にある前記第１電気コネクタの一部と前記第２電気コネクタの一部が前記実装基板の実装面に対して平行になるように、前記実装基板に対して固定されており、
前記プリント回路基板の前記前面上に、前記第１電気コネクタと電気的に連結された光電子ダイを有し、
前記光電子ダイは、前記前面に対して略平行な光学面を有し、
前記第１電気コネクタは、前記底面上に第１電気パスを有し、
前記第１電気パスには、導電材料が入っており、
前記第１電気パスは、前記前面から前記後面へ延伸しており、
前記第２電気コネクタは、前記底面上に第２電気パスを有し、
前記第２電気パスには、導電材料が入っており、
前記第２電気パスは、前記後面から前記前面へ延伸している、電気光学的配置を提供する光電子アセンブリ。
【請求項９】
プリント回路基板であって、
前面、後面、底面、第１電気コネクタ、及び光電子ダイを有し、
前記後面は、前記前面の反対側の面であり、なおかつ前記前面と平行であり、
前記底面は、前記前面から前記後面へ向けて延伸し、前記前面及び前記後面と共に前記プリント回路基板の周辺出力を形成し、前記前面及び前記後面に対して略垂直であり、
前記第１電気コネクタは、実装基板上の第１導線に接続しており、少なくともその一部が前記前面と前記底面に沿って延伸するように当該プリント回路基板上に形成されており、
前記底面上にある前記第１電気コネクタの一部が前記実装基板の実装面に対して平行になるように、前記実装基板に対して固定されており、
前記光電子ダイは、当該プリント回路基板の前記前面上に配置されており、前記第１電気コネクタと電気的に連結されており、
前記光電子ダイは、前記前面に対して略平行な光学面を有し、
当該プリント回路基板は第１係合機能部及び支持部材を有し、
前記第１係合機能部は当該プリント回路基板の上面にパターンされており、
前記上面は、前記底面と略平行であり、前記前面に対して略垂直であり、
前記支持部材は第２係合機能部と第３係合機能部とを有し、
前記支持部材は、前記第１係合機能部を前記第２係合機能部と係合することにより、前記プリント回路基板に連結され、
前記支持部材は、前記第３係合機能部を第４係合機能部と係合することによりファイバホルダに連結されており、
前記第４係合機能部は、前記ファイバホルダの後面にパターンされている、プリント回路基板。
【請求項１０】
前記実装基板上の第２導線に接続しており、少なくともその一部が前記後面と前記底面に沿って延伸するように当該プリント回路基板上に形成されている第２電気コネクタを有する、請求項９に記載のプリント回路基板。
【請求項１１】
前記底面上にある前記第２電気コネクタの一部が前記実装基板の前記実装面に対して平行になるように、前記実装基板に対して固定されている、請求項１０に記載のプリント回路基板。
【請求項１２】
前記ファイバホルダは、前記実装基板の前記実装面に対して略平行にファイバを保持する、請求項９に記載のプリント回路基板。
【請求項１３】
前記底面が前記実装基板の前記実装面と対向するように、前記実装基板に固定されている、請求項９に記載のプリント回路基板。
【請求項１４】
前記第１電気コネクタは、前記底面上に第１電気パスを有し、
前記第１電気パスには、導電材料が入っており、
前記第１電気パスは、前記前面から前記後面へ延伸しており、
前記第２電気コネクタは、前記底面上に第２電気パスを有し、
前記第２電気パスには、導電材料が入っており、
前記第２電気パスは、前記後面から前記前面へ延伸している、請求項９に記載のプリント回路基板。
【請求項１５】
前記第２係合機能部は、前記支持部材の上面にパターンされており、
前記第３係合機能部は、前記支持部材の前面にパターンされており、
前記支持部材の前記上面は、前記支持部材の前記前面と略垂直である、請求項９に記載のプリント回路基板。
【請求項１６】
前記ファイバホルダは第５係合機能部を有しており、
前記第５係合機能部は、前記ファイバホルダの前面にパターンされており、
前記ファイバホルダの前記前面は、前記ファイバホルダの前記後面と略平行である、請求項１５に記載のプリント回路基板。
【請求項１７】
当該プリント回路基板に対して光入力を提供するファイバをさらに有し、
前記ファイバは、前記ファイバホルダにある第１開口と、前記支持部材にある第２開口とを通る、請求項１６に記載のプリント回路基板。
【請求項１８】
前記第１開口と前記第２開口はそれぞれ、前記実装基板の前記実装面と略平行な方向へ形成されており、
前記第１開口は、前記ファイバホルダの前記前面から前記ファイバホルダの前記後面へ延伸しており、
前記第２開口は、前記支持部材の前記前面から前記支持部材の後面へ延伸している、請求項１７に記載のプリント回路基板。
【請求項１９】
前記第１電気コネクタと前記第２電気コネクタはそれぞれ、自身の電気インピーダンスが所定の値となるように制御する、請求項９に記載のプリント回路基板。
【請求項２０】
FR-4、FR-2、ポリイミド、及びテフロン（登録商標）材料のうちの少なくとも１つからなる材料を含む、請求項９に記載のプリント回路基板。
【手続補正２】
【補正対象書類名】明細書
【補正対象項目名】発明の名称
【補正方法】変更
【補正の内容】
【発明の名称】電気光学的配置を提供する装置及びプリント回路基板